(57)【要約】【課題】ディジタルカメラの使用者が自らのメモリカードをカード費用について心配することなく、フォトショップにて投函させるようにする。【解決手段】メモリデバイスは、不揮発性メモリとメモリデバイスを動作させる指示を有する媒体と指示を実行するプロセッサとを含む。最低限の指示は、カメラから受け取った元画像に対応する原画像を不揮発性メモリ内へ記憶させる指示と、原画像に対応する劣化画像を生成する指示とである。原画像は、暗号化し或いは純無垢のままかいずれかで記憶させる。メモリデバイスは認定プリンタによる原画像のアクセス後にロックされるが、原画像を受け取ったカメラによりロック解除することができる。本発明範囲には、ディジタル画像撮影の対応方法もまた含まれる。【選択図】図１
2006340363.tif 000002
【特許請求の範囲】
【請求項１】
（ａ）不揮発性メモリと、
（ｂ）媒体で、
（ｉ）カメラから受け取った少なくとも一つの元画像のそれぞれを対応原画像として前記不揮発性メモリ内に記憶し、
（ｉｉ）前記少なくとも一つの原画像ごとに対応劣化画像を生成する
指示を担持する前記媒体と、
（ｃ）前記指示を実行するプロセッサとを備える、ことを特徴とするメモリデバイス。
【請求項２】
前記少なくとも一つの劣化画像を生成する前記指示は、前記各劣化画像を生成し、続いて前記各劣化画像が対応する前記原画像を前記不揮発性メモリに記憶させるときに前記各劣化画像を前記不揮発性メモリに記憶させる指示を含む、請求項１記載のメモリデバイス。
【請求項３】
前記少なくとも一つの劣化画像を生成する前記指示は、前記少なくとも一つの劣化画像を生成し、続いて前記メモリデバイスが休止している間に前記不揮発性メモリ内に前記各劣化画像を記憶させる指示を含む、請求項１記載のメモリデバイス。
【請求項４】
前記少なくとも一つの劣化画像を生成する指示は、前記メモリデバイスのホストによる要求に呼応して前記少なくとも一つの原画像のうちの一つへアクセスし、前記少なくとも一つの原画像に対応する前記劣化画像を生成し、該劣化画像を前記ホストへ送信する指示を含む、請求項１記載のメモリデバイス。
【請求項５】
前記少なくとも一つの原画像を前記不揮発性メモリへ記憶させる前記指示は、前記少なくとも一つの原画像を暗号化形式でだけ前記不揮発性メモリへ記憶させる指示を含む、請求項１記載のメモリデバイス。
【請求項６】
前記少なくとも一つの原画像を前記不揮発性メモリに記憶させる前記指示は、前記少なくとも一つの原画像を純無垢形式で前記不揮発性メモリへ記憶させる指示を含む、請求項１記載のメモリデバイス。
【請求項７】
前記媒体は、
（ｉｉｉ）前記メモリデバイスのホストによる要求に呼応して前記少なくとも一つの原画像のうちの一つへアクセスし、
（Ａ）前記一つの原画像を暗号化し、
（Ｂ）前記暗号化原画像に対する前記ホストのアクセスを可能にする一方で前記一つの原画像に対する前記ホストのアクセスを拒否する
指示もまた担持する、請求項６記載のメモリデバイス。
【請求項８】
前記媒体は、
（ｉｉｉ）前記少なくとも一つの原画像に対するアクセスを前記メモリデバイスの認定ホストに対してだけ可能とする
指示もまた担持する、請求項６記載のメモリデバイス。
【請求項９】
前記媒体は、
（ｉｉｉ）前記認定プリンタによる前記少なくとも一つの原画像のアクセス終了時に、前記メモリデバイスをロックする
指示もまた担持する、請求項１記載のメモリデバイス。
【請求項１０】
前記媒体は、
（ｉｖ）前記カメラにより前記メモリデバイスをロック解除する
指示もまた担持する、請求項９記載のメモリデバイス。
【請求項１１】
前記媒体は、
（ｉｉｉ）前記メモリデバイスが作動的であることを検証し、
（ｉｖ）前記メモリデバイスが作動的である場合に、品質証印画像を生成し、
（ｖ）それ以外は、前記メモリデバイスを恒久的に非作動とする
指示もまた担持する、請求項１記載のメモリデバイス。
【請求項１２】
前記媒体は、
（ｉｉｉ）所定の有効期限に至ったときに、前記メモリデバイスを作動不能とする
指示もまた担持する、請求項１記載のメモリデバイス。
【請求項１３】
ディジタル写真撮影方法であって、
（ａ）カメラを用いて少なくとも一つの画像を撮像するステップと、
（ｂ）前記各少なくとも一つの元画像ごとに対応原画像をメモリデバイス内に記憶させるステップと、
（ｃ）前記少なくとも一つの原画像ごとに前記メモリデバイスにより対応劣化画像を生成するステップとを含む、ことを特徴とする方法。
【請求項１４】
前記少なくとも一つの劣化画像を生成し、前記少なくとも一つの対応画像を前記メモリデバイスに記憶させるときに該メモリデバイスに記憶させる、請求項１３記載の方法。
【請求項１５】
前記メモリデバイスは該メモリデバイスが休止している間に少なくとも一つの劣化画像を生成して記憶する、請求項１３記載の方法。
【請求項１６】
前記原画像のいずれかついて、該いずれかの原画像へアクセスする前記ホストによる要求に呼応し、前記対応劣化画像を生成し、前記メモリデバイスのホストへ送信する、請求項１３記載の方法。
【請求項１７】
前記少なくとも一つの原画像は暗号化形式でのみ前記メモリデバイスに記憶させる、請求項１３記載の方法。
【請求項１８】
前記少なくとも一つの原画像は純無垢形式で前記メモリデバイス内に記憶させる、請求項１３記載の方法。
【請求項１９】
前記少なくとも一つの原画像のうちの一つにアクセスする前記メモリデバイスのホストによる要求に呼応し、
（ｄ）前記一つの原画像を前記メモリデバイスにより暗号化するステップと、
（ｅ）前記原画像に対する前記ホストのアクセスを拒否し、その一方で前記暗号化原画像に対する前記ホストのアクセスを可能とするステップとをさらに含む、請求項１８記載の方法。
【請求項２０】
（ｄ）前記少なくとも一つの原画像へのアクセスを前記メモリデバイスの認定ホストに対してのみ可能とするステップをさらに含む、請求項１８記載の方法。
【請求項２１】
（ｄ）認定プリンタによる前記少なくとも一つの原画像のアクセス終了時に、前記メモリデバイスをロックするステップをさらに含む、請求項１３記載の方法。
【請求項２２】
（ｅ）前記カメラにより前記メモリデバイスをロック解除するステップをさらに含む、請求項２１記載の方法。
【請求項２３】
（ｄ）前記メモリデバイスが該メモリデバイスにより作動可能であることを検証するステップと、
（ｅ）前記メモリデバイスが作動可能である場合に、該メモリデバイスにより品質証印画像を生成するステップと、
（ｆ）それ以外は、前記メモリデバイスを恒久的に非作動とするステップとをさらに含む、請求項１３記載の方法。
【請求項２４】
（ｄ）所定の有効期限に至ったときに、前記メモリデバイスを作動不能とするステップをさらに含む、請求項１３記載の方法。
【発明の詳細な説明】
【技術分野】
【０００１】
本発明はディジタル記憶デバイスに係り、特にディジタル画像に用いるこの種記憶デバイスに関する。
【０００２】
本願は、２００５年５月３１日出願の米国仮特許出願第６０／６８５，６５４号と２００５年９月２９日出願の米国仮特許出願第６０／７２０，０５７号の特典を請求するものである。
【背景技術】
【０００３】
ディジタルカメラが普及してきており、プロ用市場とアマチュア用市場の両方で益々フィルム式カメラに置き換わっている。画像を記憶し視認し処理し印刷する新たな可能性は現在、パーソナルコンピュータと像処理ソフトウェアを有するだれもが利用可能である。しかしながら、ディジタルカメラの多くのユーザはパーソナルコンピュータを使用しておらず、その一方でパーソナルコンピュータの多くのユーザは家庭での印刷よりもフォトショップのサービスの方を好む。
【０００４】
大半のディジタルカメラは、着脱可能なメモリカード上に画像を記録する。従前の画像フィルムは廃棄可能であり、一回きりしか使用できないが、メモリカードは何千回も再利用できる。多くのディジタルカメラのユーザは、単一の大容量の高価なメモリカードしか持っていない。この種ディジタルカメラのユーザは、自らのパーソナルコンピュータを使用してカードからディジタル画像をアップロードし、続いてフォトショップでの紙プリント注文用にＣＤ−ＲＯＭ上にコピーを焼き付けている。ディジタルカメラの他のユーザは自らのカメラ或いはメモリカードを携えてフォトショップへ来店し、店のコンピュータにそのフォトファイルが複写されるまで待つ。多くのユーザはインターネットを介してフォトショップへそのディジタル画像を送信し、一部のユーザは印刷用の自動画像印刷キオスクを利用する。しかしながら、画像フィルムと共に使用される主なプリント発注方法、すなわちフォトショップでの封筒の投函は、メモリカードの経費が故にディジタル画像撮影には利用できない。
【発明の開示】
【発明が解決しようとする課題】
【０００５】
ディジタルカメラの使用者が自らのメモリカードをカード費用について心配することなく、フォトショップにて投函させるシステムならびに方法に対する必要性が存在する。
【課題を解決するための手段】
【０００６】
「メモリカード」或いは「カード」は、ディジタルカメラに挿入して取り外すことができ、ディジタル画像を記憶するのに使用する記憶デバイスを意味する。本願明細書にて理解される如く、「ディジタルカメラ」（或いは、縮めて「カメラ」）は、専用の自立構造装置とするか或いは静止画機能付きのビデオカメラや携帯電話や携帯型コンピュータ等のより大きな装置の一部を形成することができる。
【０００７】
「ディジタル画像」或いは「画像」により意味するのは、ディジタルカメラが撮像した静止画の電子表現である。「元画像」は、カメラのセンサで撮り、カメラのプロセッサにより（随意選択的に）処理したディジタル画像である。「元画像」は、カメラのプロセッサによりメモリカードへ送られる印刷に適した高品位画像を表わす。「元画像」は、カメラセンサにより撮像され、随意選択的にカメラのプロセッサにより処理されるディジタル画像であり、元画像はカメラのプロセッサからメモリカードへ送信される印刷に適した高品位画像を表わす。一部の画像は、生形式、すなわちカメラのセンサが捕捉したままとするか、或いは白バランスや先鋭化処理やノイズ低減や圧縮を得るためのカメラ内処理を含むかのいずれかすることが当分野において公知である。一部のカメラは、一回の撮像から１以上の元画像、例えば生版と圧縮版の両方、或いは白バランス設定等のカメラ内処理パラメータにより変わる一連の画像を生成することができる。しかしながら、サムネイルは、カメラ自体のディスプレイ上に提示すべくカメラのプロセッサによりそれらを生成する場合、本願明細書では元画像とは見なさず、何故ならサムネイルは印刷用の高品位画像を表わさないからである。「原画像」は、メモリカードが記憶する元画像のコピーである。原画像は、標準的ホストにより認識可能な「純無垢原画像」として或いは認定ホストによってだけ暗号解読できる「暗号化原画像」として記憶させることができる。
【０００８】
「ホスト」が意味するのは、カードに作動的に接続でき、カードとデータを交換することのできるあらゆる電子デバイスである。この種ホストには、これらに限定はしないが、ディジタルカメラや携帯電話や任意種で任意サイズのパーソナルコンピュータや商用プリンタやカードスロット付き個人用プリンタが含まれる。「標準的ホスト」が意味するのは、ホストを「認定ホスト」として特定する本発明の措置を含まないホストである。
【０００９】
メモリカードは、そこに記憶させたディジタル画像の読み取りを認定ホストにさえ阻止するよう設定した場合に、「ロックされた」と呼ばれる。メモリカードのロックは、ディジタル画像を消去することで将来の読み取り用にメモリカードを「ロック解除」できる意味で、逆転可能である。本発明の一実施形態において、ディジタル画像を撮像したカメラによりディジタル画像の消去を強いられることなくそこに記憶させたディジタル画像を読み取るよう被ロックメモリカードをロック解除することができる。メモリカードは、カードを認定ホストのみがこのカードとデータ交換できるよう設定した場合に、「作動不能とした」と言われる。
【００１０】
本発明は、カードをフォトショップにて印刷用に投函することで従前のフィルムを用いるのと同様に写真家にメモリカードを使用させるシステムならびに機能性を提供する。
【００１１】
本発明によれば、（ａ）不揮発性メモリと、（ｂ）媒体で、（ｉ）カメラから受け取った少なくとも一つの元画像のそれぞれを対応原画像として不揮発性メモリ内に記憶し、（ｉｉ）少なくとも一つの原画像ごとに対応劣化画像を生成する指示を担持する前記媒体と、（ｃ）指示を実行するプロセッサとを含むメモリデバイスが提供される。
【００１２】
本発明によれば、（ａ）カメラを用いて少なくとも一つの画像を撮像するステップと、（ｂ）各少なくとも一つの元画像ごとに対応原画像をメモリデバイス内に記憶させるステップと、（ｃ）少なくとも一つの原画像ごとにメモリデバイスにより対応劣化画像を生成するステップとを含むディジタル写真撮影方法が提供される。
【００１３】
本発明のメモリデバイスは、不揮発性メモリと、プロセッサと、プロセッサによる実行時に本発明方法を実施する指示を担持する媒体とを含む。指示の基本的集合には、それぞれがカメラから受け取った１以上の元画像である対応原画像として不揮発性メモリ内に記憶させる指示と、各原画像ごとに対応劣化画像を生成する指示とが含まれる。
【００１４】
本発明のメモリデバイスの一つの好適な実施形態によれば、一（又は複数）の劣化画像を生成する指示は、一（又は複数）の劣化画像を生成し、対応する一（又は複数）の原画像を不揮発性メモリ内に記憶させるときに一（又は複数）の劣化画像を不揮発性メモリ内に記憶させる指示を含む。本発明のメモリデバイスの別の好適な実施形態によれば、一（又は複数）の劣化画像を生成する指示は、一（又は複数）の劣化画像を生成し、メモリデバイスが休止している間に一（又は複数）の劣化画像を不揮発性メモリ内に記憶させる指示を含む。本発明のメモリデバイスのさらに別の好適な実施形態によれば、一（又は複数）の劣化画像を生成する指示は、前記少なくとも一つの原画像のうちの一つへアクセスするメモリデバイスのホストによる要求に呼応し、対応劣化画像を生成し、続いてこの対応劣化画像をホストへ送信する指示を含む。
【００１５】
本発明メモリデバイスの一つの好適な実施形態によれば、不揮発性メモリ内に一（又は複数）の原画像を記憶させる指示は、一（又は複数）の原画像を不揮発性メモリ内に暗号化形式でのみ記憶させる指示を含む。本発明メモリデバイスの別の好適な実施形態によれば、不揮発性メモリ内に一（又は複数）の原画像を記憶させる指示は、一（又は複数）の原画像を不揮発性メモリ内に純無垢（非暗号化）形式で記憶させる指示を含む。後者の場合は、最も好適な媒体は、原画像へアクセスするメモリデバイスのホストによる要求に呼応し、要求された原画像を暗号化し、要求された原画像の暗号化版に対するホストアクセスを可能とする一方で純無垢原画像に対するホストアクセスを拒否する指示もまた担持する。さもなくば、媒体は一（又は複数）の純無垢原画像に対するアクセスをメモリデバイスの認定ホストにだけ可能とする指示もまた担持する。
【００１６】
好ましくは、媒体は、認定プリンタによる一（又は複数）の原画像のアクセス終了時にメモリデバイスをロックする指示もまた担持する。最も好ましくは、媒体はメモリデバイスがそこから一（又は複数）の画像を受け取るカメラによりロックされていたメモリデバイスをロック解除する指示もまた担持する。
【００１７】
好ましくは、媒体は、メモリデバイスが作動的であることを検証し、メモリデバイスが作動的であると判明した場合に品質証印画像を生成し、メモリデバイスが作動的でないと判明した場合にメモリデバイスを恒久的に非作動とする指示もまた担持する。
【００１８】
好ましくは、媒体は所定の有効期限に至ったときにメモリデバイスを作動不能とする指示もまた担持する。
【００１９】
本発明の基本的な方法によれば、カメラは１以上の元画像の撮像に使用され、（ａ）対応する一（又は複数）の画像をメモリデバイス内に記憶させ、メモリデバイスが（ａ）対応する一（又は複数）の劣化画像を生成する。例えば、一（又は複数）の原画像を記憶させるとき（この場合、一（又は複数）の劣化画像もまたメモリデバイス内に記憶させる）か、メモリデバイスが休止している間（この場合、一（又は複数）の画像もまたメモリデバイス内に記憶させる）か、ホストが原画像へのアクセスを要求するとき（この場合、対応劣化画像が生成され、ホストへ送信される）にである。
【００２０】
本発明方法の一つの好適な実施形態によれば、一（又は複数）の原画像を暗号化形式でのみ記憶させる。本発明方法の別の好適な実施形態によれば、一（又は複数）の原画像を純無垢形式で記憶させる。メモリデバイスのホストによる要求に呼応して原画像の一つへアクセスすべく、要求された原画像を暗号化する。要求ホストは暗号化画像へのアクセスを許されるが、純無垢原画像へのアクセスは拒否される。さもなくば、メモリデバイスの認定ホストだけ純無垢原画像へのアクセスが許される。
【００２１】
好ましくは、メモリデバイスは認定プリンタによる一（又は複数）の原画像へのアクセス終了時にロックする。最も好ましくは、斯くロックされたメモリデバイスを一（又は複数）の原画像を撮像したカメラによりロック解除する。
【００２２】
好ましくは、メモリデバイスはそれ自体の作動可能性を検証する。作動可能性を検証した場合、メモリデバイスは品質証印画像を生成することでそのステータスを示す。さもなくば、メモリデバイスはそれ自体を恒久的に非作動とする。
【００２３】
好ましくは、メモリデバイスは所定の有効期限に至ったときに作動不能とする。
【００２４】
実質的に、本発明は１以上の下記特徴を備える。
・カードは、金銭供託に対し印刷サービス提供業者から受け取る。この供託は、プリント発注時或いは別のカードの受領時に償却される。
・原画像の全品質印刷とディジタル複写は、認定フォトショップでだけ得られる。さもなくば、サムネイル及び／又はサイズ（例えば、解像度）やカラーやマーキングのうちの１以上により劣化させたコピーを介して限定されたアクセスが可能である。
・カードは、印刷機により消去しかつ／又はカードコントローラにより作動不能とした後に他者が再利用できる。
・カードは、所定の有効期限後にさらなる用途（印刷を除く）について非作動とする。
上記の特徴は、以下の潜在的懸念に対する救済手段を提供する。
・印刷サービス業者は、カードを印刷生成用に使用し、出来る限り頻繁に再利用されることを期待する。あらゆる代替用途を、好ましくは思い止どまらせる。画像ファイルに対する供託や期限切れや限定されたアクセスを、しかるべく工夫する。
・ユーザは、カードが他人の手に渡ったときに彼又は彼女のプライバシーについて懸念を抱くことがある。印刷時の信頼に足る消去が、ユーザのプライバシーを保護する。
【発明を実施するための最良の形態】
【００２５】
本発明は、添付図面を参照して例示のみによりここに説明するものとする。
【００２６】
本発明は、ディジタル画像写真要のメモリデバイス及び関連システムからなる。具体的には、本発明を用いることで、ディジタルカメラのユーザはアナログカメラのユーザが写真フィルムを現像し印刷する仕方でメモリカードを印刷することができる。
【００２７】
本発明に係るディジタル写真の原理ならびに操作は、図面と添付説明を参照することでより良好に理解することができる。
【００２８】
図１を参照するが、これは本発明に従い構成したシステムの好適な実施形態１００の高位概略ブロック線図である。カード１１０は、図３を参照して以下に説明する如く画像及び注文データを記憶する不揮発性記憶装置１１２（例えば、フラッシュメモリや小型磁気ディスクドライブ）を含むカメラメモリカードである。プロセッサ１１６は、記憶装置１１２のアクセスと管理を制御するファームウェア１１４の下で動作する。カードインタフェース１１８がカメラ１５０や商用プリンタ１３０やパーソナルコンピュータ１７０等の外部デバイスとの機械的、電気的、論理的インタフェースを提供する。カメラ１５０はカメラ機能１５６を用いて画像を撮り、カメラのファームウェア１５８の下で稼働するカメラプロセッサ１５４を用いて標準的な画像ファイルフォーマット（ｊｐｅｇやｔｉｆｆ等）へ変換し、カメラインタフェース１５２を介してカード１１０とのインタフェースをとって元画像をカード１１０へ送信する。商用プリンタ１３０はカード１１０を受信し、プリンタソフトウェア１３８の下で稼働するプリンタプロセッサ１３４により制御されるプリンタ機能１３６を用いて画像を印刷するプリンタインタフェース１３２を介してカード１１０とのインタフェースをとる。パーソナルコンピュータ１７０はコンピュータインタフェース１７２を介してカード１１０を受け取り、記憶装置１１２が記憶するディジタル画像を視認し選択し編集するようユーザにより操作される。
【００２９】
図２は、図１のカード１１０の記憶装置１１２のコンテンツを図解するものである。原画像２０２は、カメラ機能１５６により撮像されカメラのプロセッサ１５４により処理した全品質画像を表わす画像ファイルである。この種画像ファイルが従前より圧縮や白バランス等のカメラのプロセッサ１５４による処理の選択可能なレベルを含むことに、留意されたい。図１５Ａに関して以下に説明する如く、一部実施形態において原画像２０２はプロセッサ１１６により暗号化され、暗号化形式で記憶させる。サムネイル２０４は随意選択的に従前からもカメラのプロセッサ１５４により生成され、視認と続く消去或いは印刷の選択用に記憶装置１１２が記憶する画像のカメラ１５０の画面上での即時総覧をもたらす。劣化画像２０６は、プロセッサ１１６が生成する原画像２０２の劣化版である。劣化画像２０６は、限定された視認と編集とユーザ向けウェブ公開をもたらすよう工夫されているが、高品位印刷には不向きである。各劣化画像２０６は、以下の劣化方法のうちの少なくとも一つにより劣化させる。
・サイズによる劣化：２０６−Ｓは、例えば（最低１６００×１２００画素の典型的な原画に比し）４８０×３６０画素サイズまで低減した解像度の画像である。
・カラーによる劣化：２０６−Ｃは、カラー深度を最低２４ｂ（大半の原画内に典型的な数百万色）から例えば８ｂ（グレースケール表示等の２５６色）へ低減する。
・マーキングによる劣化：２０６−Ｍは、余分な視認定能な情報、例えばテキストや図形透かしを画像に付加することで実装する。
【００３０】
指示２０８は、図１の商用プリンタ１３０からのプリントの注文に関連するユーザコマンドを記憶する。この種コマンドは数量と紙種別とサイズ２０８−Ｑを特定し、ディジタル画像処理（以下の図１２Ａ，１２Ｂ参照）において通例のトリミングやカラー補正等の指示２０８−Ｅを随意選択的に編集もする。注文２０８は、カメラ１５０やパーソナルコンピュータ１７０へ力されたユーザコマンドに呼応し、個別ファイル或いは画像ファイル内の指示場のいずれかとして記憶させる。
【００３１】
サムネイル自体は原画像の劣化した表現であることに、留意されたい。「サムネイル」と「劣化画像」とを明確に識別するため、本願明細書にて了解される如く、サムネイルはカメラのプセッサにより随意選択的に生成し、その一方で「劣化画像」はカードプロセッサにより生成する。
【００３２】
図３を参照するが、これはそのうちの少なくとも一つが本発明の様々な実施形態中に含まれる特徴を象徴的に要約するものである。これらの特徴を、以下に詳しく説明する。選択的なアクセス１９２が認定商用プリンタ１３０に原画像２０２に対する排他的なアクセスをもたらし、その一方でカメラやパーソナルコンピュータや非認定商用プリンタ等の他のデバイスがサムネイル２０４や劣化画像２０６や注文２０８だけへのアクセスを得る。検証された消去１９４はカード１１０内に実装されたアルゴリズム及び／又は認定された信頼のおける商用プリンタであり、カードを適切に消去し、「再利用」前に「浄化」し、すなわち別のユーザの手渡されることを確実にする。検証された消去１９４は、以前のユーザのプライバシー保護にとって重要である。金銭供託１９６は営利団体の詳細をカード１１０内に記録し、これが金銭供託に対しカードを将来の印刷ごとに償却させるか、或いは別のカードとする。金銭供託１９６における記録は、償却する営利団体によって請求伝票発行業務ならびに課金処理目的に使用される。有効期限１９８は認定商用プリンタ１３０での印刷を除きその後のさらなる使用に対しカード１１０を作動不能とすることになる日付を含み、カード１１０が記憶する画像の速やかな印刷を促す。検証済み品質２００はユーザにとっては視認定能な指示であり、カード１１０が組み込み試験に首尾よく合格した後の「再利用」カード１１０の品質を保証する。
【００３３】
図４は、カード１１０を有するカメラ１５０の用途を記述するフローチャートである。ステップ２１１において、ユーザは従前の仕方で写真を撮る。この写真は、カメラのプロセッサ１１６により元画像へ変換される。ステップ２１３において、元画像はカメラのプロセッサ１１６からカード１１０へ送信され、記憶装置１１２内の原画像２０２に対する安全な記憶領域内に原画像として記憶させられる。ステップ２１５において、画像のサムネイルがサムネイル２０４内にサムネイルとして記憶させられ、ステップ２１７において、画像はカードプロセッサ１１６により処理されて劣化画像２０６用の領域内に記憶させる画像の劣化版を生成する。ステップ２１７はカードプロセッサ１１６により自律的に実行され、かくしてユーザの撮像癖やカメラ１５０の設計の両方に対しそれを気付かなくさせることに留意されたい。これは、カード１１０が既存のユーザを母体にカメラモデルでもって使用できることを意味する。
【００３４】
ステップ２１３，２１５，２１７はステップ２１１にて撮像した各画像ごとにほぼ同時並行的に実行できるが、代替実施形態ではステップ２１３をステップ２１１の直後に実行し、ステップ２１７をカード１１０がカメラ１５０により給電されるもデータの送受信に使用中でない休止時点で（既に記憶させた原画像から）プロセッサ１１６が実行するよう遅延させることができる。こうして、ステップ２１７による処理と記憶が撮影を減速させることはない。ステップ２１５は強制的ではなく、先に保存した劣化画像をカメラ画面上でその画像を視認するのに使用できることにも留意されたい。
【００３５】
図５は、カメラ１５０やパーソナルコンピュータ１７０や標準的プリンタ１３０や認定プリンタ１３０を用いた図１のカードへのアクセスモードを示すものである。カード１１０へのアクセスに用いるデバイスの種別は、ステップ２２１により特定される。カメラ１５０を用いることで、図４に説明済みであってここで繰り返さない画像の撮像に加え、カメラ１５０はサムネイルへアクセス（選択肢２３１）し、先に撮像した画像を総覧し、恐らくは記憶装置１１２の注文領域２０８上へ注文を記録（選択肢２３５）することができる。選択肢２３３の下で、カメラ１５０からプリンタ１３０への直接印刷がサポートされている場合或いはカメラ１５０がパーソナルコンピュータ１７０への画像送信用の導管として使用される場合に、カメラ１５０は劣化画像にアクセスすることもできる。また、カメラ１５０は原画像２０２用のカード１１４の保護領域を含むカード１１０を消去することができる。しかしながら、カメラ１５０はそれらを撮像した後は原画像２０２へのアクセスを許されないことに留意されたい。
【００３６】
さらに、図５中、パーソナルコンピュータ１７０はインターネット上で視認しかつ恐らくは公開することのできるサムネイルならびに劣化画像へアクセス（それぞれ選択肢２３１と２３３）することができる。選択肢２３７において、パーソナルコンピュータ１７０は劣化特性に応じて劣化画像上で原画像用に意図された処理を模倣することもできる。例えば、画像をサイズにより劣化させた場合は、処理は依然としてトリミングとカラーバランスに関係する。カラーにより劣化させた画像は依然としてトリミングの模倣に有用であり、その一方でマーキングした画像は、例えば注文を記録する選択肢２３５における赤目除去を含むあらゆる種類の処理をサポートすることができる。注文を記録する選択肢２３５では、注文は数量と用紙サイズと種別の規定２３５−Ｑにより特定することができ、模倣処理２３７期間中に生成された編集指示２３５−Ｅもまた含む。これらの指示は、以下に説明する如く、印刷２９３に影響を及ぼす。
【００３７】
図５のステップ２２１がカード１１０にアクセスしているデバイスが読み取り器或いはカメラ１５０を介してカード１１０に接続した標準的プリンタ（経済的な或いはホームプリンタ）であると判定すると、劣化画像だけが印刷用にアクセス可能とされる。しかしながら、認定商用プリンタ１３０を接続した場合、そのプリンタ１３０は密着印刷の印刷用の選択肢２９１と、数量と用紙種別とサイズ２３５−Ｑと編集指示２３５−Ｅとを含む選択肢２３５の下で先に記録された注文に従い記憶装置２０２から全品質原画像を印刷する選択肢２９３とを有する。この種注文が記録されていない場合、そのときは原画像のこの種印刷品質は原画像ごとの一つのプリントのデフォルトにより作成するか、或いは従前のフィルム準拠注文で通例の如く書き込み書式の指示に従うことができる。選択肢２９５は、認定プリンタ１３０にユーザによるさらなる使用へ向けＣＤ−ＲＯＭ等の媒体上へ原画像２０２を複写できるようにもする。ホストのカード１１０による認定プリンタとしての特定はカードプロセッサ１１６と印刷プロセッサ１３４との間の暗号交換によりなされ、そのことがカード１１０に対しホストが認定プリンタに対してだけ秘密（好ましくは暗号化鍵）を知っていることを証明する。信頼され認定されたデバイスとしてのデバイスのこの種特定は、当分野で公知であり、それ故にここにおいてさらに詳述はしない。
【００３８】
図５の操作と選択肢が、カメラ１５０からの原画像２０２の受け取り後に認定商用プリンタ１３０だけが原画像２０２へアクセス可能とする保証に向けたものであることに留意されたい。原画像２０２を消去する以外は、カメラ１５０でさえ原画像２０２へアクセスすることはできない。カード１１０の他の全てのホストはサムネイル２０４と劣化画像２０６にだけアクセスし、視認とウェブ公開と編集と発注の限定機能を提供する。このことが、ここで保護する認定商用プリンタ１３０のオペレータがカード１１０に助成金を支給することに商用価値をもたらす。これは、図３の選択的アクセス１９２の特徴に関連するものである。
【００３９】
図６は図５の全ての選択肢（対応ブロック番号）を含み、関連する一つの追加選択肢を図３の被検証消去１９４の特徴に付加する。図６中、認定商用プリンタ１３０は原画像２０２へのアクセスを認定されているだけでなく、注文されたプリントの印刷（ステップ２９３）及び／又は原画のＣＤへの複写（ステップ２９５）の後で、ユーザによりカードを完全に消去して浄化（ステップ２９７）することで信頼されてもいる。これは、ユーザが一旦高品位プリント及び／又はＣＤ上の原コピーを受け取ったときに、彼女又は彼がカードが適切に消去されていて、カードを別人が再使用するときに彼／彼女の個人的画像をアクセス可能としないよう保証できることを意味する。カード浄化、すなわち確実にそれらを消去する方法が米国特許出願第２００４／０１８８７１０号に教示されており、同文書は本願明細書に恰も全記載したかの如くあらゆる目的に合せ参照用に取り込むものとする。
【００４０】
図７は、図３の被検証消去１９４の特徴にも関連するものである。しかしながら、図７の実施形態では、ユーザが商用プリンタ１３０を信用せず、正にカード１１０を信頼して印刷或いは複写用に原画像２０２にアクセスした後にそれ自体を消去することを想定している。この場合、どんなホスト（カメラ１５０やパーソナルコンピュータ１７０やプリンタ１３０等）もサムネイル（選択肢２３１）や劣化画像（選択肢２３３）や劣化画像上の模倣処理（選択肢２３７）やカード消去（選択肢２９７）へアクセスすることができる。しかしながら、ホストが原画像２０２へのアクセスを試みる（ステップ３２１）とき、ホストが認定プリンタであるかどうがステップ３２１にて判定される。認定プリンタは、原画３５１に対するアクセス（印刷用と複写用）の単一セッションを可能とされるが、セッションが終了すると、カード１１０はステップ３５３においてロックされ、再度機能的とするには完全に消去しなければならない。カード１１０のファームウェア１１４内に埋め込まれたこのロック処理のプログラミングが、ユーザが高品位プリント及び／又はＣＤ上での原コピーの受け取りを保証し、ユーザが高品位プリント及び／又はＣＤ上で原コピー受け取った正にその事実がカードの再利用（すなわち、別人による再利用）時にさらなるアクセスに対してカードプロセッサが内蔵画像を保護したことを証明する。カード１１０がロックされた後でカード１１０へのアクセスを試みるどんなホストも、サムネイル２０４や劣化画像２０６へだけでなく原画像２０２へのアクセスを拒否され、かくして元のユーザのプライバシーが保護される。
【００４１】
図８は、図６と図７のさらに別の変形例を記述するものである。図８中、カード１１０をフォーマット化したカメラ１５０（以下、「ホームカメラ」１５０と呼ぶ）をステップ２２１においてそのカード１１０に対し特定する。この種の特定はディジタルカメラカードの現行技術では標準的でないが、シリアル番号或いは別の固有ＩＤにより他のデバイスを特定するよう相互にインタフェースをとるデバイスの能力は当分野では良好にサポートされている。カード１１０がロックされていない（ステップ３１９Ｃ）ような場合、ホームカメラ１５０はブロック２３１，２３３，２３５，２９７により表わされる如く、サムネイル２０４や劣化画像２０５や原画像２０２（例えば、印刷用）へアクセスすることができる。認定プリンタによりカード１１０をアクセスしたが故にカード１１０がロックされている場合、元画像を撮像したカメラ１５０はカード１１０をロック解除し、続いてサムネイル２０４と劣化画像２０５と原画像２０２へアクセスする能力を有する。これが、図７の構成を改善する二つの利点をもたらす。第１に、ユーザが彼／彼女の原カードを商用プリンタ１３０から検索する場合に、彼女／彼はカードを消去する代りに同一カードへ画像を付加することができる。第２に、原画像２０２へアクセスしたもののそれらを全て複写しないホストに欠陥があった場合は、ホームカメラ１５０によって原画像２０２を救うことができる。カード１１０がロックされていない（ステップ３１９Ｈ）場合、その場合にはカード１１０に対するアクセスは拒否されるが、他の任意のホストが図７に示す如くカード１１０へアクセスする。
【００４２】
上記の如く、カード１１０による認定プリンタ１３０の批准は、当分野で公知の暗号化技術により、好ましくは必ずしも必要とはしないが非対称キーを用いてなされる。
【００４３】
図１０は、図３の検証済み品質２００の特徴を概略記述するものである。再利用カード１１０を受け取ったユーザは、カード１１０が完全に作動可能であることが保証されることを願う。この目的に合わせ、カード１１０をフォーマット化した後はプリンタ１３０やパーソナルコンピュータ１７０やカメラ１５０によるステップ５０１とし、ステップ５０３においてプロセッサ１１６が組み込み試験を自動的に実行する。ステップ５０５において試験が成功したと判明した場合、そのときはプロセッサ１１６はカメラ画面やパーソナルコンピュータを通じて視認したときに正常な画像であることを示す品質証印の合成画像を生成する。さもなくば、カード１１０はステップ５０９において恒久的に非作動とされ、カメラ１５０やパーソナルコンピュータ１７０やプリンタ１３０等のカード１１０の任意のホストが当分野で周知の標準的手順の下で機能不全カード１１０を検出することになる。
【００４４】
図１１Ａ，１１Ｂは、カードプロセッサ１１６が実行する図３の有効期限１９８の特徴を記述するものである。ステップ５２１において、カードをフォーマット化する。ステップ５２３において、カード１１０はカメラ１５０から第１の画像を受け取る。標準的なファイルフォーマットの下では、写真はそのときの日付を含む。ステップ５２５において、そのときの日付が開始日付としてカード１１０の記憶装置１１２に記録される。ステップ５２７において、例えば開始日付に９０日を付加することで有効期限が計算される。
【００４５】
ステップ５４１において、フォーマット化後の第１の画像以外の画像ファイルをカード１１０が受け取る。ステップ５４３において、プロセッサ１１６は受信ファイルからそのときの日付を確認し、ステップ５４５において、プロセッサ１１６はそのときの日付が許容期間内にあるかどうか、すなわちステップ５２５，５２７を通じて先に記憶装置１１２内に記憶した開始日付後でかつ有効期限前であるか確認する。日付が許容期間内にある場合、そのときはステップ５４７において記憶装置１１２内に写真を通常記録する。さもなくば、ステップ５４９において、プロセッサ１１６はカード１１０が期限切れしたことを通知し、ユーザに彼／彼女の画像２０２を認定プリンタ１３０にて印刷するよう促す画像を合成する。ステップ５５１において、カード１１０は読み出し専用メモリモードに置かれ、すなわち読み取り機能が無傷である間さらなる撮像について動作不能とされる。このモードはフォーマット化を阻止せず、カード１１０を再フォーマット化したときにリセットされる。
【００４６】
図１２Ａ，１２Ｂは図５〜図９の模倣処理ステップ２３７と、同じ図の注文印刷ステップ２９３の印刷に明示的に包含される個別成果を概略記述するものである。かくして、ステップ５６１において、ユーザはパーソナルコンピュータ１７０を用いて記憶装置１１２（図２）の劣化画像２０６の領域から劣化画像をロードし、この劣化画像を編集する。編集選択肢は、劣化画像の生成に使用する劣化方法に依存する。カラーによる劣化は、第１にトリミングを可能にする。サイズによる劣化は、トリミングと限定カラーとコントラスト操作とを可能にする。マーキングによる劣化は、トリミングとカラー及びコントラスト操作とディジタルフィルタと赤目除去と特殊効果を含む全ての慣習的編集選択肢を可能にする。ステップ５６３において、目下の劣化画像に関連する編集指示（図２の編集指示２０８−Ｅ）がパーソナルコンピュータ１７０上で実行される編集ソフトウェアによりカード１１０の記憶装置１１２へ記録される。編集パラメータの再符号化技術は、例えばＲＡＷフォーマットで撮像したディジタル画像の編集技術から周知である。
【００４７】
図１２Ｂは、ステップ５６３において記録された編集指示を図５〜図９の印刷のステップ２９３又は３５１の遂行用に実行する仕方を記述するものである。ステップ５８１において、認定商用プリンタ１３０（図１）が記憶装置１１２へアクセスして原画像２０２と注文２０８のパラメータを検索する。その印刷品質（数量／用紙指示２０８−Ｑ）が無効ではない各具体的な原画像について、編集指示２０８−Ｅを探索する。指示２０８−Ｅがステップ５６３（図１２Ａ）において先に記録されていた場合、そのときはステップ５８１において指示２０８−Ｅを探索する。ステップ５８３では、ステップ５６１において使用した劣化画像が異なるサイズのもの（例えば、劣化解像度）であった場合、画像上の特定の場所に関連する編集指示が原画の全サイズに適合するよう変換される。ステップ５８５において、編集指示２０８−Ｅが個別原画像上で実行され、ステップ５８７において編集済み版がそこで指示２０８−Ｑ内の具体的な数量と紙種別とサイズに従って印刷される。
【００４８】
図９と図１３Ａ〜図１５Ｂは、追加の好適な実施形態と図１のプロセッサ１１６が原画像データを処理し保護する仕方の変形例に関する。
【００４９】
ここで、図２の実施形態に対する代替実施形態を示す図１３Ａ，１３Ｂについて参照を行なう。図２の実施形態では劣化画像２０６をプロセッサ１１６により生成して記憶装置１１２に記憶させたのに対し、図１３Ａと図１３Ｂの代替実施形態は記憶装置１１２Ａ内に（随意選択的にサムネイル２０４と注文２０８と共に）原画像２０２だけを保存し、プロセッサ１１６が認定商用プリンタ１３０Ａを識別し、カードインタフェース１１８を介して原画像２０２を供給するよう作動可能としてある。認定ホスト６００（図１３Ｂ）とインタフェースをとるときに、ファームウェア１１４Ａを実行するプロセッサ１１６が原画像２０２からその場で劣化画像２０２Ｄを生成し、カードインタフェース１１８を介してあらゆる非認定ホスト６００へ（随意選択的にサムネイル２０４と注文２０８と共に）劣化画像２０２Ｄを供給する。図１３Ａと１３Ｂの実施形態は劣化画像２０６（図２）用に必要なメモリとステップ２１７（図４）の処理時間を節約するが、アップロードされた劣化画像２０２Ｄを生成すべくプロセッサ１１６が要求する処理時間により非認定ホスト６００（図１３Ｂ）が画像の読み取りに必要とする時間は増大する。
【００５０】
図１４は別の好適な実施形態を示し、そこでは保護された原画像２０２はファームウェア１１４Ｂの下でプロセッサ１１６によりその場で暗号化と劣化の両方を受け、暗号化版２０２Ｅ及び／又は劣化版２０２Ｄの両方を任意のホスト６１０へ選択的に供給する。暗号化版２０２Ｅは原画像を暗号解読し原画像を印刷しかつ／又は前記した如くＣＤ上に原画像を焼き付けるべく要求されたキーを有する認定商用プリンタでだけ有用であり、その一方で劣化版は前述した目的に合せ全てのホストにとって有用である。さらにまた、インターネットや携帯通信や他の任意の電子通信リンクを介して遠隔の認定プリンタ６２０へ接続することのできるパーソナルコンピュータや同様のホスト６１０が、暗号化画像２０２Ｅを遠隔の認定プリンタ６２０へ転送して印刷することができる。
【００５１】
図９は、原画像２０２が暗号化形式でもってカード１１０に記憶される好適な実施形態の下で図８が如何に改変されるかを示すものである。ステップ３５５においてカード１１０をロック解除した後、ホームカメラ１５０はステップ３５１Ｅにおいて暗号化原画像２０２へアクセスし、他の許可ステップ２３１，２３３，２３７，２３５，２９７へもアクセスする。他のどんなホストもまた暗号化原画像２０２へのアクセスを有するが、暗号化原画像２０２は認定プリンタ以外のどんなホストに対しても有用ではない。認定プリンタにより暗号化原画像２０２へアクセスした後、図８に関して説明した如く、カード１１０は好ましくはステップ３５３においてユーザのプライバシーを保護すべくロックされる。
【００５２】
図１５Ａ，１５Ｂは、原画像を暗号化されたままとする本発明の別の好適な実施形態を示す。図１５Ａは、カメラに取り付けられて画像撮影モードで動作するカード１１０Ｃを示す。元画像２０２Ｓはカードインタフェース１１８を介してカメラから受信され、ファームウェア１１４Ｃの下でプロセッサ１１６によりその場で暗号化され、原画像を暗号化原画像２０２Ｅとして記憶装置１１２Ａ内に記憶する。サムネイル２０４はカメラにより随意選択的に供給され、記憶装置１１２Ａ内に記憶させられ、注文２０８は上記の図１３Ａ，１３Ｂ，１４について説明した如く、随時任意のホストにより記録される。かくして、原画像を記憶装置１１２Ａに記憶させたりハードウェア保護したり必要は一切ない。出力用に任意のホストへ接続したとき（図１５Ｂ）、ファームウェアを実行するプロセッサ１１６は恐らくは劣化が続く暗号化を介して暗号化画像２０２Ｅからプロセッサ１１６がその場で生成する注文２０８やサムネイル２０４や暗号化画像２０２Ｅや劣化画像２０２Ｄのいずれかを選択的に供給する。暗号化版２０２Ｅの用途は、上記に図１４について説明してある。
【００５３】
最も現実的な筋書の下では、認定プリンタによる劣化画像のアクセスは冗長的であり、使用されることは決してなかろう。原版がカード１１０内に鮮明に記録され、認定プリンタ以外のホストによるアクセスからプロセッサ１１６が保護する実施形態では、原版は好ましくは代りに劣化版だけを見るユーザからは隠したままとする。カード１１０が暗号化原版又は劣化版の両方を生成する実施形態では、ユーザは好ましくは両版に対しアクセスするが、それは暗号化原版は認定プリンタ以外のどんなホストに対しても役立たないものの、ユーザは他の手段、例えば電子メール添付により認定プリンタへ暗号化原版を送信したいと欲するからである。
【００５４】
本発明は限定された数の実施形態について説明してきたが、本発明の多くの変形例や改変例や他の応用例が作成できることは理解されたい。
【図面の簡単な説明】
【００５５】
【図１】本発明システムの高位ブロック線図である。
【図２】原画像と劣化画像の両方を記憶する図１のメモリカードの一実施形態に記憶させたデータを示す図である。
【図３】図１のメモリカードの特徴を要約した図である。
【図４】図１のカメラとメモリカードを用いた写真撮影のフローチャートである。
【図５】図１のメモリカードに対する各種アクセスモードのフローチャートである。
【図６】図１のメモリカードに対する各種アクセスモードのフローチャートである。
【図７】図１のメモリカードに対する各種アクセスモードのフローチャートである。
【図８】図１のメモリカードに対する各種アクセスモードのフローチャートである。
【図９】図１のメモリカードに対する各種アクセスモードのフローチャートである。
【図１０】図１のメモリカードの自己試験のフローチャートである。
【図１１Ａ】図１のメモリカードへの有効期限設定のフローチャートである。
【図１１Ｂ】図１のメモリカードへ有効期限を設定した図１のカメラとメモリカードを用いた写真撮影のフローチャートである。
【図１２Ａ】指示を編集する措置のフローチャートである。
【図１２Ｂ】指示編集を実行するフローチャートである。
【図１３Ａ】原画像を記憶し、必要に応じて劣化画像を生成する図１のメモリカードの一実施形態を示す図である。
【図１３Ｂ】原画像を記憶し、必要に応じて劣化画像を生成する図１のメモリカードの一実施形態を示す図である。
【図１４】原画像を記憶し、必要に応じて暗号化画像を生成する図１のメモリカードの一実施形態を示す図である。
【図１５Ａ】暗号化画像を記憶する図１のメモリカードの一実施形態を示す図である。
【図１５Ｂ】暗号化画像を記憶する図１のメモリカードの一実施形態を示す図である。
【符号の説明】
【００５６】
１００  システム
１１０，１１０Ａ，１１０Ｃ  カード
１１２，１１２Ａ  記憶装置
１１４，１１４Ａ，１１４Ｂ，１１４Ｃ  ファームウェア
１１６  カードプロセッサ
１１８  カードインタフェース
１３０  商用プリンタ
１３０Ａ  認定商用プリンタ
２０２  原画像
２０２Ｄ  劣化画像
２０２Ｅ  暗号化画像
２０２Ｓ  元画像
２０４  サムネイル
２０６  劣化画像
２０８  注文
２０８−Ｑ  数量／用紙
２０８−Ｅ  編集指示
６１０  任意のホスト
６２０  遠隔の認定プリンタ
【図１】
2006340363.tif 000003
【図２】
2006340363.tif 000004
【図３】
2006340363.tif 000005
【図４】
2006340363.tif 000006
【図５】
2006340363.tif 000007
【図６】
2006340363.tif 000008
【図７】
2006340363.tif 000009
【図８】
2006340363.tif 000010
【図９】
2006340363.tif 000011
【図１０】
2006340363.tif 000012
【図１１Ａ】
2006340363.tif 000013
【図１１Ｂ】
2006340363.tif 000014
【図１２Ａ】
2006340363.tif 000015
【図１２Ｂ】
2006340363.tif 000016
【図１３Ａ】
2006340363.tif 000017
【図１３Ｂ】
2006340363.tif 000018
【図１４】
2006340363.tif 000019
【図１５Ａ】
2006340363.tif 000020
【図１５Ｂ】
2006340363.tif 000021